(57)【要約】【課題】  監視用レコーダーなど入出力端子の多い映像機器では、機器交換を行い元の接続状態に戻す際に、復元するのは容易でなく、誤った接続状態にしてしまうおそれがある。【解決手段】  交換前の入力映像(分割表示にて全チャンネル表示可能な映像)を外部記録媒体(ＵＳＢフラッシュメモリなど)に記憶させ、これと、機器交換後の入力映像を比較することで、間違えなく元の接続状態が復元できるようにすることを特徴とする。【選択図】  図１
2008236572.tif 000002
【特許請求の範囲】
【請求項１】
入力映像を外部記録媒体に記憶する手段および外部記録媒体から読み出す手段を備えた監視用記録再生装置において、外部記録媒体から読み出した映像と入力映像を同時に全チャンネル分割表示する手段を設けることを特徴とする監視用記録再生装置。
【請求項２】
請求項１記載の監視用記録再生装置において、外部記録媒体から読み出した映像と入力映像を分割表示されているチャンネルごとに選択する手段を設け、選択した外部記録媒体から読み出した映像のチャンネル位置にある入力映像と選択した入力映像を入れ替えることができる手段を設けることを特徴とする監視用記録再生装置。
【請求項３】
請求項１記載の監視用記録再生装置において、入れ替えた入力映像に合わせて、記録設定を変更する手段を設けることを特徴とする監視用記録再生装置。
【請求項４】
複数のカメラと、前記複数のカメラからの映像信号を入力端子ごとにチャンネル化して内部記録媒体と外部記録媒体に記録再生可能な記録再生装置と、前記チャンネル化された映像信号を全チャンネル分割表示する表示装置を具備する監視システムであって、前記記録再生装置の前記入力端子に接続するチャンネル情報に基づいてチャンネル切り替え可能なスイッチャーと、前記内部記録媒体と前記外部記録媒体に記録されている映像信号を前記表示装置に同時に全チャンネル分割表示する手段と、前記同時に全チャンネル分割表示された画面にて前記内部記録媒体による全チャンネル分割表示のチャンネルＡと前記外部記録媒体による全チャンネル分割表示のチャンネルＢを設定する手段と、前記チャンネルＡに接続しているスイッチャーのチャンネルを前記チャンネルＢに切り替える手段を設けることを特徴とする監視システム。
【発明の詳細な説明】
【技術分野】
【０００１】
本発明は、監視用記録再生装置及び監視システムに関する。
【背景技術】
【０００２】
本技術分野の背景技術として、例えば、特開平１１−２６１９１８号公報（特許文献１）がある。該公報には、課題として「画像表示装置に多数の外部入力端子が備えられていて、その外部入力端子に外部機器が接続されている場合、どの外部入力端子にどの外部機器が接続されているかを記憶していない場合は、画面表示装置に表示させる機器の切り替えが非常に煩雑な操作になっている。」と記載され、解決手段として「画面上に親画面として通常の画像を表示し、外部入力端子に接続されている機器の付加情報（機器名）を表示し、使用者はその一覧表示されている子画面から所望の画像を選択することにより、該選択された子画面が親画面として表示される。」と記載されている。
【０００３】
【特許文献１】特開平１１−２６１９１８号公報
【発明の開示】
【発明が解決しようとする課題】
【０００４】
監視システムに使用される監視用記録再生装置に故障や不具合があり、機器交換を行う場合には、接続ケーブルの取り外し、再度ケーブル接続を行う保守作業が発生する。監視用記録再生装置は１台当たり多いもので十数台の監視用カメラが接続されており、接続するカメラの台数に合わせて、接続ケーブルの本数が必要となるほか電源ケーブルなどケーブル同士が交錯しているうえ、監視用記録再生装置の背面に接続されている。この為、ケーブル接続を行う保守作業は、監視用記録再生装置の背面にて行うが、背面に回るスペースが無い、あるいは、システムラックにぎっしりと収められ手を入れるスペースが僅かしかないような設置環境も少なくない。さらに、機器交換を行う場合は、通常、作業時間が決められた時間の中で効率良く、間違えなく正確に行う必要がある。
【０００５】
通常、カメラケーブルを取り外し、接続前の状態に配線するには、誤配線を防ぐために、取り外したカメラケーブルに接続されていたチャンネル番号を記入したテープを貼り、チャンネル番号に合わせて配線を行うなどして対処しているが、こうした状況で、テープを貼ること、そして、記入したチャンネル番号を確認しながら配線することは容易でなく、限られた時間の中で、間違えなく正確に作業を行うには困難を極める問題があった。
【０００６】
しかし、特許文献１ではこの問題については考慮されておらず、解決手段の開示もない。特許文献１記載の従来技術では、機器交換時に先の接続情報も消失する為、機器交換後に改めて先の接続状態を復元することが困難となる。
【０００７】
そこで、本発明では上記問題を解決し、監視システムの保守作業において機器交換を正確かつ短時間にできる記録再生装置を提供することを目的とする。
【課題を解決するための手段】
【０００８】
上記課題を解決するために、本発明は、入力映像を外部記録媒体に記憶する手段を設け、機器交換前後の全チャンネル分割表示映像の比較を可能として、交換前後で映像が異なるチャンネルを入れ替える手段を機器内に設けた。本発明の詳細は、特許請求の範囲記載の発明により達成される。
【発明の効果】
【０００９】
本発明によれば、監視システムの保守作業において機器交換を正確かつ短時間にできる記録再生装置を提供することができる。
【発明を実施するための最良の形態】
【００１０】
以下、本発明による実施の形態について、図面を用いて具体的に説明する。
【実施例１】
【００１１】
図１は、本発明の監視用記録再生装置により構成された監視システムのブロック図である。以下、本発明の監視用記録再生装置により構成された監視システムの構成及び動作を図１を用いて説明する。
【００１２】
通常、監視用記録再生装置は映像入力端子が複数存在するが、ここでは、１〜１６チャンネルの映像入力端子が存在するものとし、代表して映像入力端子１、２、１６の３チャンネルを取り上げて説明する。
【００１３】
監視用記録再生装置１は、監視用カメラ２ａ、２ｂ、２ｃで生成した映像信号を監視用記録再生装置１の映像入力端子１１ａ、１１ｂ、１１ｃを介してスイッチャー１２に取り込む。
【００１４】
スイッチャー１２内部には、後述するアプリケーション操作にて制御されるレジスタ１２１と複数のスイッチ１２２ａ、１２２ｂ、１２２ｃがある。
【００１５】
レジスタ１２１はレジスタ値１２１ａ、１２１ｂ、１２１ｃをもち、このレジスタ値に従い、スイッチ１２２ａ、１２２ｂ、１２２ｃが変動する。また、レジスタ値１２１ａ、１２１ｂ、１２１ｃは、メモリ１３に書き込まれ、このメモリ書き込まれた値をメモリ値１３１ａ、１３１ｂ、１３１ｃと呼ぶと、メモリ値は、アプリケーション操作時に読み出し可能となる。
【００１６】
スイッチャー１２に取り込まれた映像信号は、スイッチ１２２ａ、１２２ｂ、１２２ｃを介し、映像記録再生回路１４に取り込まれる。映像記録再生回路１４は取り込まれた複数の映像信号を、符号化等の処理をした後、単一の映像信号として表示装置４に出力する。以降、これをライブ表示と呼ぶ。また、映像記録再生回路１４はアプリケーション操作時にチャンネルごとの記録設定をメモリ１５に記録する。さらに、アプリケーション操作時には、映像記録再生回路１４は外部記録媒体接続端子１６を介し、外部記録媒体３へ記録、外部記録媒体３から読み出しを可能とする。外部記録媒体３への記録時は、アプリケーション操作により映像記録再生回路１４に記録命令をした後、映像記録再生回路１４は取り込まれた複数の映像信号を符号化等の処理をした後、１つの映像信号として、外部記録媒体３へ出力する。このとき、メモリ１５に保存されるチャンネルごとの記録設定も同時に外部記録媒体３へ記録する。
【００１７】
外部記録媒体３からの読み出し時は、アプリケーション操作により映像記録再生回路に読み出し命令をした後、映像記録再生回路１４は外部記録媒体３に記録したデータを外部記録媒体接続端子１６を介して入力し、復号化等の処理をした後、表示装置４に出力し、表示する。このとき、外部記録媒体３に保存した記録設定も同時に読み出し、メモリ１５に保存する。
【００１８】
本発明の監視用記録再生装置により、構成された監視システムにおける処理の流れを図１、図５に示す監視システムのブロック図、図２に示すフローチャート、そして、図３〜図４、図６〜１８に示すアプリケーション操作表示画面例を用いて説明し、図１を機器交換前の接続状態、図５を機器交換後の接続状態とする。
【００１９】
図２に示すステップＳ２０１で保守メニュー釦を押下すると、ステップＳ２０２では図３に示す保守メニュー選択画面を表示する。図３のように、保守メニュー選択画面の中には、監視システムの操作履歴や記録履歴などを示す「ログ」メニューや、ファームウェアのバージョン情報などを示す「システム」メニューなどがある。
【００２０】
ステップＳ２０３で図３の画面表示を見て「機器交換」以外を選択した場合には、ステップ２０４ではそれぞれ選択した保守メニュー内容に応じた保守メニュー画面が表示され、保守メニュー内容に応じた保守メニュー操作をする。
【００２１】
ステップＳ２０３で「機器交換」を選択および決定した場合には、ステップ２０５で図４に示す「機器交換選択」画面を表示する。このとき、機器交換前に行う作業として、分割表示にて全チャンネル表示可能な入力映像を外部記録媒体に保存する「入力映像を外部ストレージに保存」と、機器交換後に行う作業として、分割表示にて全チャンネル表示可能な入力映像を保存された外部記録媒体から読み出す「入力映像を外部ストレージから読み出す」が選択できる。
【００２２】
ステップＳ２０６で、図４の画面表示にて、「入力映像を外部ストレージに保存」を選択した場合は、ステップＳ２０７として全チャンネル分の入力映像が全表示可能な状態で、図１の外部記録媒体３（例えば、ＵＳＢフラッシュメモリ、ＵＳＢハードディスクなど）に記録される。その後は、ステップＳ２１５として、機器交換選択画面は終了し、保守メニュー選択画面に戻る。このとき、外部記録媒体３が接続されていない場合には「外部ストレージが接続されていません」の画面が表示される。また、外部記録媒体３に保存中には「保存中」、保存が完了すると「保存しました」などの画面に切り替わる。
【００２３】
その後、図１に示す既に設置済みの監視用記録再生装置１のケーブル類を取り外し、図５に示す監視用記録再生装置５と機器交換し、ケーブル配線する作業に移る。このとき、機器交換後の監視用記録再生装置５に、交換前の機器に接続していたカメラケーブル配線位置と異なる配線状態に誤配線したとする。ここでは、図５に示すように、１〜１６チャンネルのうち、交換前の監視用記録再生装置１でチャンネル１である映像入力端子１１ａに接続されていたカメラ２ａのカメラケーブルを機器交換後の監視用記録再生装置５のチャンネル２である映像入力端子５１ｂに、交換前の監視用記録再生装置１でチャンネル２である映像入力端子１１ｂに接続されていたカメラ２ｂのカメラケーブルを機器交換後の監視用記録再生装置５のチャンネル１６である映像入力端子５１ｃに、そして交換前の監視用記録再生装置１でチャンネル１６である映像入力端子１１ｃに接続されていたカメラ２ｃのカメラケーブルを機器交換後の監視用記録再生装置５のチャンネル１である映像入力端子５１ａに誤配線した場合について説明する。
【００２４】
機器交換およびカメラケーブル配線などの作業完了後、上述したステップ２０１〜ステップ２０５の操作を行う。
【００２５】
その後、入力映像を保存した外部記録媒体３を、機器交換後の監視用記録再生装置５の外部記録媒体接続端子５６に接続する。
【００２６】
次に、ステップＳ２０６にて、「入力映像を外部ストレージから読み出し」を選択した場合、記録再生回路５４は外部記録媒体３に保存された記録設定を読み出し、メモリ５５に保存する。
【００２７】
続いて、ステップＳ２０８として、図６に示す「機器交換：入力映像を外部ストレージから読み出し」画面を表示する。
【００２８】
図６は、画面左側に、外部記録媒体３から読み出した機器交換前の全チャンネル分の入力映像を全表示し、画面右側に、機器交換後の監視用記録再生装置５に接続されたカメラから入力される全チャンネル分の入力映像をライブ表示する。このとき、１〜１６のカメラで生成した入力映像をそれぞれ（１）〜（１６）として示し、ここでは、代表してカメラ２ａ、２ｂ、２ｃの入力映像（１）、（２）、（１６）を取り上げる。
【００２９】
続いて、機器交換後の監視用記録再生装置５の誤配線により、交換前の表示位置（１）にライブ表示の入力映像（１６）、交換前の表示位置（２）にライブ表示の入力映像（１）、そして、交換前の表示位置（１６）にライブ表示の入力映像（２）を表示している。
【００３０】
続いて、ステップＳ２０９として、図６の下部に示す「交換後の入力映像は交換前と同じ表示位置ですか？」にて「Ｙｅｓ」を選択した場合は、ステップＳ２１５として保守メニュー選択画面に戻り、「機器交換：入力映像を外部ストレージから読み出し」画面を終了する。「Ｎｏ」を選択した場合は、ステップＳ２１０へ遷移する。
【００３１】
ステップＳ２１０では、図７に示すように、交換前の映像入力が選択でき、移動したい交換前のチャンネル表示、ここでは（１）にカーソルを合わせ、決定する。決定するとステップＳ２１１に遷移する。
【００３２】
ステップＳ２１１では、図８に示すように、交換後の映像入力が選択でき、移動する交換後のチャンネル表示、ここでは（１）にカーソルを合わせ、決定する。決定するとステップＳ２１２に遷移する。
【００３３】
ステップＳ２１２では、図９の下部に示す「選択したチャンネル表示位置を入れ替えますか？」にて「Ｎｏ」を選択した場合は、選択したチャンネル表示位置を入れ替えることなく画面を終了し、Ｓ２０９に戻る。また、「Ｙｅｓ」を選択した場合は、ステップＳ２１３に遷移する。
【００３４】
ステップＳ２１３では、図５の５２１ａのレジスタ値をＣＨ１からＣＨ２に、５２１ｂのレジスタ値をＣＨ２からＣＨ１に変更し、図５のメモリ５３のメモリ値５３１ａの値をＣＨ１からＣＨ２に、メモリ値５３１ｂの値をＣＨ２からＣＨ１に変更する。これにより、レジスタ５２１ａ、５２１ｂはスイッチ５２２ａ、５２２ｂを変動させ、図１０で示すように交換前のチャンネル表示位置（１）にライブ表示されている入力映像（１６）と
交換前のチャンネル表示位置（２）にライブ表示されている入力映像（１）の表示位置が入れ替わる。
【００３５】
このとき、レジスタ５２１が変更されたことに合わせて、アプリケーションはメモリ５５内の記録設定も同時に変更する。
【００３６】
監視用記録再生装置の記録には、コントロール端子に入力されたアラーム信号に連動して記録する「アラーム記録」や動きを検知して記録を行う「モーションディテクタ」があるが、ここでは記録設定の変更例について、図１５に示すもっとも使用される一般記録を例に説明する。
【００３７】
図１５は、交換前の監視用記録再生装置１の一般記録設定例である。画面左列にはチャンネル、その右列には画質、その右列にはレートを示し、チャンネル１の記録設定は画質Ｓｕｐｅｒ、レート１、チャンネル２の記録設定は画質Ｈｉｇｈ、レート３、チャンネル１６の記録設定は画質Ｂａｓｉｃ、レート１０であることを示す。
【００３８】
ここで、ステップ２１３にて選択したチャンネル表示位置を入れ替えた時、記録再生回路５４の内部処理は、図１５のＣＨ１すなわち図９に示す交換前のチャンネル表示位置（１）の記録設定（画質Ｓｕｐｅｒ、レート１）が、図１６のＣＨ２すなわち図９に示す交換後のチャンネル表示位置（１）に変更される。表示装置には見かけ上、図１５の記録設定が表示されるが、映像表示位置が変更されたことに従順して実際の記録再生回路５４の内部処理は、図１６のようになる。
【００３９】
次に、ステップＳ２１４では、図１０に示す「交換後の入力映像は交換前と同じ表示位置ですか？」に対し、引き続きチャンネル表示位置と記録設定の入れ替えを行うため、「Ｎｏ」を選択する。
【００４０】
続いて、ステップＳ２０９に戻り、同様に図６の下部に示す「交換後の入力映像は交換前と同じ表示位置ですか？」にて「Ｎｏ」を選択し、ステップＳ２１０へ遷移する。
【００４１】
ステップＳ２１０では、図１１に示すように、交換前の映像入力が選択でき、移動したい交換前のチャンネル表示位置、ここでは（２）にカーソルを合わせ、決定する。決定するとステップＳ１１１に遷移する。
【００４２】
ステップＳ２１１では、図１２に示すように、交換後の映像入力が選択でき、移動する交換後のチャンネル、ここでは（２）にカーソルを合わせ、決定する。決定するとステップＳ１１２に遷移する。
【００４３】
ステップＳ２１２では、図１３の下部に示す「選択したチャンネル表示位置を入れ替えますか？」にて「Ｙｅｓ」を選択し、ステップＳ２１３に遷移する。
【００４４】
ステップＳ２１３では、図５の５２１ｂのレジスタ値をＣＨ１からＣＨ１６に、５２１ｃのレジスタ値をＣＨ１６からＣＨ１に変更し、図５のメモリ５３のメモリ値５３１ｂの値をＣＨ１からＣＨ１６に、メモリ値５３１ｃの値をＣＨ１６からＣＨ１に変更する。これにより、レジスタ５２１ｂ、５２１ｃはスイッチ５２２ｂ、５２２ｃを変動させ、図１４に示すように交換前のチャンネル表示位置（２）にライブ表示されている入力映像（１６）と交換前のチャンネル表示位置（１６）にライブ表示されている入力映像（２）の表示位置が入れ替わる。
【００４５】
このとき、レジスタ５２１が変更されたことに合わせて、アプリケーションはメモリ５５内の記録設定も同時に変更する。
【００４６】
ステップ２１３にて選択したチャンネル表示位置を入れ替えた時、記録再生回路５４の内部処理は、図１５のＣＨ２すなわち図１３に示す交換前のチャンネル表示位置（２）の記録設定（画質Ｈｉｇｈ、レート３）が、図１７のＣＨ１６すなわち図１３に示す交換後のチャンネル表示位置（２）に変更される。表示装置には見かけ上、図１５の記録設定が表示されるが、映像表示位置が変更されたことに従順して実際の記録再生回路５４の内部処理は、図１７のようになる。
【００４７】
続いて、ステップＳ２１４にて、「交換後の入力映像は交換前と同じ表示位置ですか？」に対し、「Ｙｅｓ」を選択する。
【００４８】
ここで、記録再生回路５４は、ステップＳ２１０にて選択された表示位置とステップＳ２１１にて選択された表示位置を比較し、ステップＳ２１１では図１４に示す交換前の表示位置（１）（２）が選択されているのに対し、ステップＳ２１１では図１４に示す交換後の表示位置（２）（１６）が選択されていることを計算し、図１５のＣＨ１６すなわち図１４に示す交換前の表示位置（１６）にあった記録設定（画質Ｂａｓｉｃ、レート１０）を、図１８のＣＨ１すなわち図１４に示す交換後のチャンネル表示位置（１）に変更する。
【００４９】
こうして、記録再生回路５４は、ケーブルの誤配線に合わせ、表示装置４に図１５のように記録設定を表示するが、記録再生回路５４内での実際の記録処理は図１８のようになり、映像表示位置の変更に従順して、チャンネルごとの記録設定変更が可能となる。
【００５０】
その後、ステップＳ２１５として「機器交換：入力映像を外部ストレージから読み出し」画面を終了し、保守メニュー選択画面に戻る。
【００５１】
以上により、設置環境や作業条件が悪い中、機器交換の際に、ケーブルを誤配線しても、誤配線したまま元の接続状態に復元が容易であり、間違えることなく正確に、短時間で作業を完了することができる。
【００５２】
以上、本発明によれば、交換前の入力映像(分割表示にて全チャンネル表示可能な映像)を外部記録媒体(ＵＳＢフラッシュメモリなど)に記憶させ、これと、機器交換後の入力映像を比較することで、間違えなく正確に元の接続状態が復元し、短時間化を可能とする監視用記録再生装置を提供することができる。
【図面の簡単な説明】
【００５３】
【図１】本発明の監視用記録再生装置により構成された監視システムのブロック図
【図２】本発明の監視用記録再生装置における機器交換時のフローチャート
【図３】本発明の監視用記録再生装置の保守メニュー選択画面例
【図４】本発明の監視用記録再生装置の機器交換選択画面例
【図５】本発明の監視用記録再生装置により構成された機器交換後の監視システムのブロック図
【図６】本発明の監視用記録再生装置における機器交換時の入力映像表示位置確認画面例
【図７】本発明の監視用記録再生装置における機器交換時のチャンネル位置選択画面例
【図８】本発明の監視用記録再生装置における機器交換時のチャンネル位置選択画面例
【図９】本発明の監視用記録再生装置における機器交換時のチャンネル位置入れ替え確認画面例
【図１０】本発明の監視用記録再生装置における機器交換時のチャンネル位置入れ替え確認画面例
【図１１】本発明の監視用記録再生装置における機器交換時のチャンネル位置選択画面例
【図１２】本発明の監視用記録再生装置における機器交換時のチャンネル位置選択画面例
【図１３】本発明の監視用記録再生装置における機器交換時のチャンネル位置入れ替え確認画面例
【図１４】本発明の監視用記録再生装置における機器交換時のチャンネル位置入れ替え確認画面例
【図１５】本発明の監視用記録再生装置の一般記録設定画面例
【図１６】本発明の監視用記録再生装置の一般記録設定画面例
【図１７】本発明の監視用記録再生装置の一般記録設定画面例
【図１８】本発明の監視用記録再生装置の一般記録設定画面例
【符号の説明】
【００５４】
１、５・・・監視用記録再生装置、
２ａ、２ｂ、２ｃ・・・監視用カメラ、
３・・・外部記録媒体、
４・・・表示装置、
１１ａ、１１ｂ、１１、５１ａ、５１ｂ、５１ｃ・・・映像入力端子、
１２、５２・・・スイッチャー、
１３、５３・・メモリ、
１４、５４・・・記録再生回路、
１５、５５・・・メモリ、
１６、５６・・・外部記録媒体接続端子、
１１ａ、１１ｂ、１１ｃ、５１ａ、５１ｂ、５１ｃ・・・映像入力端子、
１２１ａ、１２１ｂ、１２１ｃ、５２１ａ、５２１ｂ、５２１ｃ・・・レジスタ、
１２２ａ、１２２ｂ、１２２ｃ、５２２ａ、５２２ｂ、５２２ｃ・・・スイッチ、
１３１ａ、１３１ｂ、１３１ｃ、５３１ａ、５３１ｂ、５３１ｃ・・・メモリ値
【図１】
2008236572.tif 000003
【図２】
2008236572.tif 000004
【図３】
2008236572.tif 000005
【図４】
2008236572.tif 000006
【図５】
2008236572.tif 000007
【図６】
2008236572.tif 000008
【図７】
2008236572.tif 000009
【図８】
2008236572.tif 000010
【図９】
2008236572.tif 000011
【図１０】
2008236572.tif 000012
【図１１】
2008236572.tif 000013
【図１２】
2008236572.tif 000014
【図１３】
2008236572.tif 000015
【図１４】
2008236572.tif 000016
【図１５】
2008236572.tif 000017
【図１６】
2008236572.tif 000018
【図１７】
2008236572.tif 000019
【図１８】
2008236572.tif 000020